(57)【要約】      （修正有）【課題】特殊なデバイスを必要とせず、ギルバートセルのような掛け算器を、掛け算部分の温度特性と逆な温度特性を持つ電流源で構成することによって、出力信号の温度依存性を抑制できるレベル検波回路を提供する。【解決手段】ＡＣ信号を二乗する二乗演算回路１０と、上記二乗演算回路１０へ電流を供給する電流源回路３０とを備え、上記二乗演算回路１０は、出力信号が温度の二乗に反比例する特性を有し、且つ、上記電流源回路３０は、供給電流が温度の二乗に比例する特性を有する。【選択図】図１
2007282135.tif 000002
【特許請求の範囲】
【請求項１】
入力されたＡＣ信号に応じたＤＣ信号を出力するレベル検波回路であって、
上記ＡＣ信号を二乗する二乗演算回路と、
上記二乗演算回路へ電流を供給する電流源回路とを備え、
上記二乗演算回路は、出力信号が温度の二乗に反比例する特性を有し、且つ、上記電流源回路は、供給電流が温度の二乗に比例する特性を有することを特徴とするレベル検波回路。
【請求項２】
上記二乗演算回路の出力信号Ｖｏｕｔの変化量ΔＶｏｕｔは、
ΔＶｏｕｔ＝（ＢＩ０（Ｖｉｎ）２）／Ｔ２、且つ、
上記電流源回路から供給される上記二乗演算回路の電流Ｉ０は、
Ｉ０＝ＣＴ２、
（Ｂ＝（Ｒ１ｑ２）／（８Ｋ２）、Ｃ＝（４Ｋ２（ｌｎＮ）２）／（ｑ２Ｒ２２Ｉ１）、Ｖｉｎ：二乗演算回路に入力されるＡＣ信号、Ｔ：絶対温度、Ｋ：ボルツマン定数、ｑ：クーロン量、Ｒ１，Ｒ２：抵抗、Ｎ：トランジスタのエミッタ面積比、Ｉ１：定電流）、
で示されていることを特徴とする請求項１に記載のレベル検波回路。
【請求項３】
上記二乗演算回路は、
ギルバートセルにより構成されることを特徴とする請求項１または２に記載のレベル検波回路。
【請求項４】
上記電流源回路は、
温度依存性の無い電流源を備える二乗除算回路と、
温度に比例する特性を有する、上記二乗除算回路の電流源であるバンドギャップ電流源回路とを備え、
上記二乗除算回路は、上記バンドギャップ電流源回路からの供給電流を二乗し、該二乗した供給電流を、上記温度依存性の無い電流源からの供給電流で除算することを特徴とする請求項１または２に記載のレベル検波回路。
【請求項５】
入力信号の強度を判定するレベル検波回路を実装した半導体装置において、
上記レベル検波回路は、請求項１〜４のいずれか１項に記載のレベル検波回路であることを特徴とする半導体装置。
【請求項６】
通信機能を有し、受信した信号の強度を判定するレベル検波回路を備えた電子機器において、
上記レベル検波回路は、請求項１〜４のいずれか１項に記載のレベル検波回路であることを特徴とする電子機器。
【請求項７】
通信機能を有し、受信した信号の強度を判定する半導体装置を備えた電子機器において、
上記半導体装置は、請求項５に記載の半導体装置であることを特徴とする電子機器。
【発明の詳細な説明】
【技術分野】
【０００１】
本発明は、無線受信装置などに用いられるレベル検波回路、それを備えた半導体装置および電子機器に関するものである。
【背景技術】
【０００２】
従来、通信機能を備えて通信を行う無線装置が、広く使用されている。無線装置には、例えば、テレビ、ラジオ、携帯電話、およびコードレスホンなどの、受信する信号の大きさが決まっていない無線受信装置がある。
【０００３】
上記のような無線受信装置では、入力信号の強度を判定するために、レベル検波回路が必要不可欠なものとなっている。
【０００４】
ここで、上記レベル検波回路が用いられている装置の中でも、特に、ＡＧＣ（オートマチックゲインコントローラ）回路を用いている装置に、レベル検波回路は好適に用いられている。
【０００５】
レベル検波回路が、上記ＡＧＣ回路を用いている装置に備えられている場合の、信号が入力されてから、出力されるまでの動作について、図４を参照しながら以下に説明する。
【０００６】
図４は、レベル検波回路１５４を備えたＡＧＣ回路１５０の回路図である。
【０００７】
最初に、信号が入力端子１５１に入力される。
【０００８】
次いで、上記入力信号は、ＶＧＡ（利得可変増幅器）１５２に入力されて、増幅される。
【０００９】
上記ＶＧＡ１５２から出力された信号は、出力端子１５３とレベル検波回路１５４とに入力される。
【００１０】
レベル検波回路１５４では、入力された信号に応じたＤＣ電圧が出力される。なお、上記出力されるＤＣ電圧の詳細については、後述する。
【００１１】
次いで、上記レベル検波回路１５４から出力されたＤＣ電圧は、オペアンプ１５５によって基準電源１５６の電圧と比較される。
【００１２】
上記比較した結果、レベル検波回路１５４から出力されたＤＣ電圧が基準電源１５６の電圧よりも小さければ、レベル検波回路１５４への入力信号レベルを変更することによって、レベル検波回路１５４から出力されるＤＣ電圧が大きくなるように、ＶＧＡ１５２のゲインが大きく設定される。
【００１３】
逆に、レベル検波回路１５４から出力されたＤＣ電圧が基準電源１５６の電圧よりも大きければ、レベル検波回路１５４への入力信号レベルを変更することによって、レベル検波回路１５４から出力されるＤＣ電圧が小さくなるように、ＶＧＡ１５２のゲインが小さく設定される。
【００１４】
このように負帰還を行わせているので、安定状態においては、「基準電源１５６の電圧＝レベル検波回路１５４の出力ＤＣ電圧」となるように、ＡＧＣ回路１５０は制御されている。
【００１５】
また、入力信号が変動した場合においても上記負帰還のメカニズムが働いている限り、出力端子１５３の出力信号レベル、すなわちレベル検波回路１５４の出力ＤＣ電圧は、基準電源１５６の電圧に一致するような信号レベルに固定される。
【００１６】
次に、上記レベル検波回路１５４から出力されるＤＣ電圧について詳細に説明する。
【００１７】
上記レベル検波回路１５４に入力される信号をＤｓｉｎωｔとすると、出力されるＤＣ電圧Ｖｏｕｔは、
【００１８】
【数１】
2007282135.tif 000003
【００１９】
となる。
【００２０】
よって、電流ＩＺに温度依存性が無ければ、レベル検波回路１５４の出力ＤＣ電圧Ｖｏｕｔは、温度の二乗に反比例する。
【００２１】
したがって、レベル検波回路１５４から出力されるＤＣ電圧は、温度依存性を有していることがわかる。
【００２２】
ところで、無線受信装置は様々な温度環境下で使用される。例えば、携帯電話などでは、冬はマイナス２０℃の環境で使用されることが想定されるし、夏場に暑い車内に放置された場合、９０℃を超える環境に置かれることも想定される。
【００２３】
したがって、レベル検波回路から出力されるＤＣ電圧は、式（１）の検波特性を示す場合、温度の二乗に反比例するという温度依存性を有しているので、様々な環境における周囲温度の影響を受けることによって、出力ＤＣ電圧が変動するという問題が生じる。
【００２４】
そこで、例えば、特許文献１には、自乗検波を行うレベル検出回路の信号検出過程において、温度補償ができる技術が開示されている。この技術では、対数増幅器の後段に、サーミスタを有する増幅器を備えることによって、サーミスタの抵抗値の変化が増幅器の増幅率を変化させるので、温度補償がなされた出力信号を得ることができる。
【特許文献１】特開２０００−２８６６５６号公報（平成１２年１０月１３日公開）
【発明の開示】
【発明が解決しようとする課題】
【００２５】
しかしながら、上述した特許文献１に記載の技術では、サーミスタは、対数増幅器から出力された温度影響を受けた信号を検出する。そして、検出値に応じたサーミスタの抵抗値の変化が増幅器の増幅率を変化させる。つまりは、温度影響を受けた出力信号を調整していることになる。
【００２６】
また、温度影響を受けた出力信号を検出するために、対数増幅器と略同一の温度特性を有する補償素子を備える特殊なデバイスが必要である。さらに、温度補償を行うために、複雑な変換回路を備えなければならない。
【００２７】
結局、出力信号が温度依存性を有するために、出力信号を検出する特殊なデバイスが必要となったり、出力信号を調整するための複雑な変換回路を追加しなければならないという問題点がある。
【００２８】
本発明は、上記従来の問題点に鑑みなされたものであって、その目的は、特殊なデバイスを必要とせず、簡単な構成で出力信号の温度依存性を抑制できるレベル検波回路を提供することにある。
【課題を解決するための手段】
【００２９】
本発明のレベル検波回路は、上記課題を解決するために、入力されたＡＣ信号に応じたＤＣ信号を出力するレベル検波回路であって、上記ＡＣ信号を二乗する二乗演算回路と、上記二乗演算回路へ電流を供給する電流源回路とを備え、上記二乗演算回路は、出力信号が温度の二乗に反比例する特性を有し、且つ、上記電流源回路は、供給電流が温度の二乗に比例する特性を有することを特徴としている。
【００３０】
上記の構成によれば、二乗演算回路は、出力信号が温度の二乗に反比例する特性を有し、且つ、電流源回路は、供給電流が温度の二乗に比例する特性を有するので、該電流源回路の電流が、該二乗演算回路に供給されることで、該二乗演算回路から出力される信号の温度特性が相殺され、該二乗演算回路からの出力信号に温度依存性がなくなる。
【００３１】
したがって、二乗演算回路からの出力信号に温度依存性がないので、レベル検波回路から出力される信号においても温度依存性が抑制されていることになり、温度影響を受けずに安定したレベル検波を行うことが可能となる。
【００３２】
しかも、レベル検波回路は、二乗演算回路の出力信号の温度特性、および電流源回路の供給電流の温度特性を規定しているだけであるので、レベル検波回路の出力信号の温度を補償するための特殊なデバイスを必要としない。
【００３３】
したがって、上記構成のレベル検波回路によれば、特殊なデバイスを必要とせず、簡単な構成で出力信号の温度依存性を抑制できる。
【００３４】
また、上記二乗演算回路の出力信号Ｖｏｕｔの変化量ΔＶｏｕｔは、ΔＶｏｕｔ＝（ＢＩ０（Ｖｉｎ）２）／Ｔ２、且つ、上記電流源回路から供給される上記二乗演算回路の電流Ｉ０は、Ｉ０＝ＣＴ２、（Ｂ＝（Ｒ１ｑ２）／（８Ｋ２）、Ｃ＝（４Ｋ２（ｌｎＮ）２）／（ｑ２Ｒ２２Ｉ１）、Ｖｉｎ：二乗演算回路に入力されるＡＣ信号、Ｔ：絶対温度、Ｋ：ボルツマン定数、ｑ：クーロン量、Ｒ１，Ｒ２：抵抗、Ｎ：トランジスタのエミッタ面積比、Ｉ１：定電流）、で示されていることが好ましい。
【００３５】
上記の構成によれば、二乗演算回路に入力されるＡＣ信号をＡｓｉｎωｔとし、二乗演算回路では、
【００３６】
【数２】
2007282135.tif 000004
【００３７】
の演算が行われるとすると、二乗演算回路から出力される信号は、
【００３８】
【数３】
2007282135.tif 000005
【００３９】
となる。
【００４０】
ここで、電流源回路から供給される二乗演算回路の電流Ｉ０を、Ｉ０＝ＣＴ２・・式（３）とすると、式（３）を式（２）に代入すれば、
【００４１】
【数４】
2007282135.tif 000006
【００４２】
となり、温度特性が相殺される。よって、二乗演算回路から出力される信号に温度依存性がなくなる。
【００４３】
したがって、二乗演算回路からの出力信号に温度依存性がないので、レベル検波回路から出力される信号においても温度依存性が抑制されていることになり、温度影響を受けずに安定したレベル検波を行うことが可能となる。
【００４４】
上記の二乗演算回路としては、以下のような構成が可能である。
【００４５】
上記二乗演算回路は、ギルバートセルにより構成されることが好ましい。
【００４６】
上記の電流源回路としては、以下のような構成が可能である。
【００４７】
上記電流源回路は、温度依存性の無い電流源を備える二乗除算回路と、温度に比例する特性を有する、上記二乗除算回路の電流源であるバンドギャップ電流源回路とを備え、上記二乗除算回路は、上記バンドギャップ電流源回路からの供給電流を二乗し、該二乗した供給電流を、上記温度依存性の無い電流源からの供給電流で除算することが好ましい。
【００４８】
また、本発明の半導体装置は、上記課題を解決するために、上記レベル検波回路を実装することを特徴としている。
【００４９】
上記の構成によれば、上記レベル検波回路は、二乗演算回路の出力信号の温度特性、および電流源回路の供給電流の温度特性を規定しているだけであるので、レベル検波回路の出力信号の温度を補償するための特殊なデバイスを必要としない。
【００５０】
したがって、特殊なデバイスを必要としないので、レベル検波回路を、素子のみで構成することが可能となり、レベル検波回路を簡単に集積化することが可能となる。
【００５１】
しかも、レベル検波回路が素子のみで構成されるので、レベル検波回路を集積化し実装した半導体装置を小型化することが可能となる。
【００５２】
また、本発明の電子機器は、上記課題を解決するために、上記レベル検波回路を備えることを特徴としている。
【００５３】
また、本発明の電子機器は、上記課題を解決するために、上記半導体装置を備えることを特徴としている。
【００５４】
様々な温度環境下で使用される無線受信装置のような通信機能を有する電子機器では、レベル検波回路から出力される信号は、温度影響を受け不安定になる。
【００５５】
しかしながら、上記の構成によれば、出力信号の温度依存性を抑制することが可能なレベル検波回路を備えているので、様々な温度環境下で使用しても、安定した出力信号を得ることが可能となる。
【００５６】
また、小型化することが可能な半導体装置を備えているので、電子機器を小型化することが可能となる。
【発明の効果】
【００５７】
本発明のレベル検波回路は、以上のように、ＡＣ信号を二乗する二乗演算回路と、上記二乗演算回路へ電流を供給する電流源回路とを備え、上記二乗演算回路は、出力信号が温度の二乗に反比例する特性を有し、且つ、上記電流源回路は、供給電流が温度の二乗に比例する特性を有するので、該電流源回路の電流が、該二乗演算回路に供給されることで、該二乗演算回路から出力される信号の温度特性が相殺され、該二乗演算回路からの出力信号に温度依存性がなくなり、その結果、特殊なデバイスを必要とせず、簡単な構成で出力信号の温度依存性を抑制できるという効果を奏する。
【発明を実施するための最良の形態】
【００５８】
（１−１）レベル検波回路の概要
本発明の一実施形態について説明すれば、以下の通りである。
【００５９】
図１は、本実施の形態のレベル検波回路１００を示すブロック図である。
【００６０】
本実施の形態のレベル検波回路１００は、図１に示すように、ＡＣ信号を二乗する二乗演算回路１０、および、上記二乗演算回路１０へ電流を供給する電流源回路３０を備えている。また、ＬＰＦ（ローパスフィルタ）２は、上記レベル検波回路１００から出力される信号のＡＣ成分を減衰させ、ＤＣ成分を通過させる。
【００６１】
最初に、本実施の形態のレベル検波回路１００の全体的な動作について、図１を参照しながら説明する。その後、各部分構成について詳細に説明する。
【００６２】
まず、入力端子１にＡＣ信号が入力され、該ＡＣ信号が二乗演算回路１０に入力される。
【００６３】
上記二乗演算回路１０に入力されるＡＣ信号を、例えば、電圧Ｖｉｎ＝Ａｓｉｎωｔとする。
【００６４】
二乗演算回路１０では、
【００６５】
【数５】
2007282135.tif 000007
【００６６】
（Ｒ１：抵抗、ｑ：クーロン量、Ｋ：ボルツマン定数、Ｔ：絶対温度）
の演算が行われるとすると、二乗演算回路１０から出力される電圧は、
【００６７】
【数６】
2007282135.tif 000008
【００６８】
となる。
【００６９】
ここで、電流源回路３０から供給される二乗演算回路１０の電流Ｉ０を、
【００７０】
【数７】
2007282135.tif 000009
【００７１】
（Ｎ：トランジスタのエミッタ面積比、Ｒ２：抵抗、Ｉ１：定電流）
とすると、式（５）を式（４）に代入すれば、
【００７２】
【数８】
2007282135.tif 000010
【００７３】
となり、温度特性が相殺される。よって、二乗演算回路１０から出力される電圧は、温度依存性がなくなる。
【００７４】
また、式（６）は、以下の式（７）のように書き直すことができる。
【００７５】
【数９】
2007282135.tif 000011
【００７６】
ＬＰＦ２では、式（７）に示す二乗演算回路１０から出力された信号のうち、ＡＣ成分であるｓｉｎ２ωｔのみを除去し、（Ａ２Ｒ１（ｌｎＮ）２）／（４Ｒ２２Ｉ１）を通過させる。
【００７７】
よって、出力端子３から出力される電圧は、（Ａ２Ｒ１（ｌｎＮ）２）／（４Ｒ２２Ｉ１）という温度依存性の無いＤＣ成分のみの電圧となる。
【００７８】
したがって、レベル検波回路１００から出力されるＤＣ電圧は、温度依存性を抑制している。
【００７９】
以下に、各部分構成について詳細に説明する。
【００８０】
（１−２）二乗演算回路
二乗演算回路１０について、図２を参照しながら詳細に説明する。
【００８１】
図２は、二乗演算回路１０が、ギルバートセルにより構成される一例を示す回路図である。
【００８２】
二乗演算回路１０は、ギルバートセルにより構成されており、電流源１１・１２、トランジスタＱ１３・Ｑ１４、およびコンデンサＣ２２をさらに備えている。
【００８３】
上記ギルバートセルは、電流源回路３０、トランジスタＱ１５〜Ｑ２０、および抵抗Ｒ２１で構成される部分である。
【００８４】
上記トランジスタＱ１３・Ｑ１４は、増幅器（図示しない）の利得１倍のバッファアンプとして機能する。
【００８５】
上記コンデンサＣ２２は、ＬＰＦ２で二乗演算回路１０から出力される信号のＡＣ成分の減衰に使用するための、ＬＰＦ２用のコンデンサである。
【００８６】
上記電流源回路３０の詳細については、後述する。
【００８７】
上記二乗演算回路１０に入力されるＡＣ信号をＡｓｉｎωｔとすると、出力されるＤＣ電圧Ｖｏｕｔは、
【００８８】
【数１０】
2007282135.tif 000012
【００８９】
となる。
【００９０】
したがって、電流源回路３０からの供給電流ＩＢに温度依存性が無ければ、二乗演算回路１０の出力ＤＣ電圧Ｖｏｕｔは、温度の二乗に反比例する。
【００９１】
（１−３）電流源回路
次に、電流源回路３０について、図３を参照しながら詳細に説明する。
【００９２】
図３は、電流源回路３０の一例を示す回路図である。
【００９３】
電流源回路３０は、温度依存性の無い電流源を備える二乗除算回路３２、および、上記二乗除算回路３２の電流源である、温度に比例する特性を有する電流を供給するバンドギャップ電流源回路３１により構成されている。
【００９４】
上記バンドギャップ電流源回路３１は、抵抗Ｒ３３〜Ｒ４２、および特性の揃ったトランジスタＱ４３〜Ｑ５４を備えている。
【００９５】
上記二乗除算回路３２は、特性の揃ったトランジスタＱ５５〜Ｑ６０、および、温度依存性の無い電流源６１を備えている。
【００９６】
上記電流源回路３０の供給電流Ｉｏｕｔ（１０）は、図２に示す電流源回路３０の供給電流ＩＢとして使用される。すなわち、Ｉｏｕｔ（１０）＝ＩＢである。
【００９７】
次に、上記バンドギャップ電流源回路３１から供給される電流Ｉａについて、詳細に説明する。
【００９８】
トランジスタＱ４３〜Ｑ４５のカレントミラーにより、トランジスタＱ４３〜Ｑ４５のコレクタ電流ＩＣ（Ｑ４３）〜ＩＣ（Ｑ４５）には、同じ大きさの電流が流れる。
【００９９】
よって、トランジスタＱ４６・Ｑ４７のコレクタ電流ＩＣ（Ｑ４６）・ＩＣ（Ｑ４７）は等しい。
【０１００】
これにより、トランジスタＱ４６・Ｑ４７のコレクタ電流ＩＣ（Ｑ４６）・ＩＣ（Ｑ４７）は、
ＩＣ（Ｑ４６）＝ＩＣ（Ｑ４７）＝（ＶＴｌｎＮ）／Ｒ（Ｒ３５）
（ＶＴ＝（ＫＴ）／ｑ，Ｎ：トランジスタＱ４６のトランジスタＱ４７に対するエミッタ面積比）
となる。
【０１０１】
次いで、トランジスタＱ４６とトランジスタＱ４７との電流の和がトランジスタＱ４８を流れる。
【０１０２】
トランジスタＱ４８・Ｑ５２のカレントミラーにより、トランジスタＱ４８・Ｑ５２のコレクタ電流ＩＣ（Ｑ４８）・ＩＣ（Ｑ５２）は等しい。
【０１０３】
これにより、トランジスタＱ４８・Ｑ５２のコレクタ電流ＩＣ（Ｑ４８）・ＩＣ（Ｑ５２）は、
ＩＣ（Ｑ４８）＝ＩＣ（Ｑ５２）＝（２ＶＴｌｎＮ）／Ｒ（Ｒ３５）
となる。
【０１０４】
また、トランジスタＱ５２・Ｑ５３のコレクタ電流ＩＣ（Ｑ５２）・ＩＣ（Ｑ５３）は等しい。
【０１０５】
よって、トランジスタＱ４６とトランジスタＱ４７との電流の和と同じ大きさの電流がトランジスタＱ５３に流れる。
【０１０６】
トランジスタＱ５３・Ｑ５４のカレントミラーにより、トランジスタＱ５３・Ｑ５４のコレクタ電流ＩＣ（Ｑ５３）・ＩＣ（Ｑ５４）は等しい。
【０１０７】
これにより、コレクタ電流ＩＣ（Ｑ５４）、すなわち供給電流Ｉａは、
【０１０８】
【数１１】
2007282135.tif 000013
【０１０９】
となる。
【０１１０】
したがって、上記バンドギャップ電流源回路３１から供給される電流Ｉａは、温度に比例する。
【０１１１】
次に、上記バンドギャップ電流源回路３１の電流Ｉａが上記二乗除算回路３２に供給されて、該二乗除算回路３２から上記二乗演算回路１０に供給される電流Ｉｏｕｔ（１０）について、詳細に説明する。
【０１１２】
特性の揃ったトランジスタでは、ベース−エミッタ間電圧ＶＢＥの和が等しければ，コレクタ電流ＩＣの積が等しいので、
ＶＢＥ（Ｑ５５）＋ＶＢＥ（Ｑ５６）＝ＶＢＥ（Ｑ５７）＋ＶＢＥ（Ｑ５９）
より、
ＩＣ（Ｑ５５）ＩＣ（Ｑ５６）＝ＩＣ（Ｑ５７）ＩＣ（Ｑ５９）
となる。
【０１１３】
ここで、トランジスタＱ５５・Ｑ５６に流れる電流は、上記バンドギャップ電流源回路３１から供給される電流Ｉａと等しいので、
ＩＣ（Ｑ５５）＝ＩＣ（Ｑ５６）＝Ｉａ
となる。
【０１１４】
また、トランジスタＱ５９・Ｑ６０は、ベース−エミッタ間電圧ＶＢＥが等しいので、コレクタ電流ＩＣ（Ｑ５９）・ＩＣ（Ｑ６０）は等しい。
【０１１５】
トランジスタＱ６０に流れる電流は、温度依存性の無い電流源６１から発生する電流Ｉｂであるので、
ＩＣ（Ｑ５９）＝ＩＣ（Ｑ６０）＝Ｉｂ
となる。
【０１１６】
ここで、トランジスタＱ５７のコレクタ電流ＩＣ（Ｑ５７）は、電流源回路３０の供給電流Ｉｏｕｔ（１０）と等しいので、
Ｉｏｕｔ（１０）＝ＩＣ（Ｑ５７）＝（ＩＣ（Ｑ５５）ＩＣ（Ｑ５６））／ＩＣ（Ｑ５９）＝Ｉａ２／Ｉｂ  ・・・式（９）
となる。
【０１１７】
よって、式（９）に式（８）を代入すると、
【０１１８】
【数１２】
2007282135.tif 000014
【０１１９】
となる。
【０１２０】
したがって、電流Ｉｂは温度依存性の無い電流源６１から発生する電流であるので、電流源回路３０の供給電流Ｉｏｕｔ（１０）は温度の二乗に比例する。
【０１２１】
以上のように、本実施の形態のレベル検波回路１００では、二乗演算回路１０は、出力電圧が温度の二乗に反比例する特性を有し、且つ、電流源回路３０は、供給電流が温度の二乗に比例する特性を有するので、該電流源回路３０の電流が、該二乗演算回路１０に供給されることで、該二乗演算回路１０から出力される電圧の温度特性が相殺され、該二乗演算回路１０からの出力電圧に温度依存性がなくなる。
【０１２２】
よって、二乗演算回路１０の出力電圧の温度特性、および電流源回路３０の供給電流の温度特性を規定しているだけであるので、レベル検波回路１００の出力信号の温度を補償するための特殊なデバイスを必要としない。
【０１２３】
したがって、特殊なデバイスを必要としないので、本実施の形態のレベル検波回路１００を、素子のみで構成することが可能となり、上記レベル検波回路１００を簡単に集積化することが可能となる。
【０１２４】
しかも、上記レベル検波回路１００が素子のみで構成されるので、上記レベル検波回路１００を集積化し実装した半導体装置を小型化することが可能となる。このような半導体装置としては、例えば、モバイル用チューナなどがある。
【０１２５】
また、本実施の形態のレベル検波回路１００は、通信機能を有する電子機器、例えば、テレビ、ラジオ、携帯電話、およびコードレスホンなどの、受信する信号の大きさが決まっていない無線受信装置などに、好適に用いることができる。
【０１２６】
上記無線受信装置がＡＧＣ（オートマチックゲインコントローラ）回路を用いている場合、図４に示すレベル検波回路１５４を、本実施の形態のレベル検波回路１００に置き換える。
【０１２７】
信号が入力されてから、出力されるまでの動作は、上述した図４を用いた説明において、上記レベル検波回路１５４の説明部分を、本実施の形態のレベル検波回路１００の説明部分に置き換えればよい。
【０１２８】
上記の構成によれば、上記レベル検波回路１５４から出力されるＤＣ電圧は温度依存性を有していたが、本実施の形態のレベル検波回路１００から出力されるＤＣ電圧は温度依存性を抑制している。それゆえ、より安定した出力信号を得ることが可能となる。
【０１２９】
また、上記無線受信装置が本実施の形態のレベル検波回路１００を備える場合、例えば、無線受信装置が受信圏外にあるか否かを判定するために、レベル検波回路１００は適用可能である。
【０１３０】
上記無線受信装置が受信圏外にあるか否かを示すインジケータとして、携帯電話のアンテナ表示の棒グラフ（圏外表示）、テレビやビデオなどでノイズが大きい場合のブルーバック表示（画面を青くする）、ラジオなどのミュート機能（ノイズが大きければ音声を切る）、および、コードレスホンの親機と子機との距離が離れすぎたときの警告音発生がある。
【０１３１】
また、例えば、上記無線受信装置のチャンネルサーチとして、上記レベル検波回路１００は適用可能である。
【０１３２】
上記チャンネルサーチとして、放送チャンネルサーチ（テレビなどでその地域の受信チャンネルをサーチする機能）、並びに、コードレスホン、携帯電話、および無線ＬＡＮの空きチャンネルサーチ（他人が使用している周波数を避け、空いている周波数で通信を行う）がある。
【０１３３】
また、例えば、上記無線受信装置以外に、上記レベル検波回路１００はパワーメータなどの測定器にも適用可能である。
【０１３４】
上記無線受信装置は様々な温度環境下で使用されるので、レベル検波回路から出力される信号は、温度影響を受け不安定になる。
【０１３５】
しかしながら、上記無線受信装置は、出力信号の温度依存性を抑制することが可能なレベル検波回路１００を備えているので、様々な温度環境下で使用しても、安定した出力信号を得ることが可能となる。
【０１３６】
また、上記無線受信装置は、上記半導体装置を備えていてもよい。
【０１３７】
小型化することが可能な半導体装置を備えることにより、上記無線受信装置を小型化することが可能となる。
【０１３８】
なお、本発明は、上記の実施の形態に限定されるものではなく、本発明の範囲内で種々の変更が可能である。
【産業上の利用可能性】
【０１３９】
本発明のレベル検波回路は、テレビ、ラジオ、携帯電話、およびコードレスホンなどの、受信する信号の大きさが決まっていない無線受信装置などの通信機能を有する電子機器に、好適に利用することができる。
【図面の簡単な説明】
【０１４０】
【図１】本発明におけるレベル検波回路の実施の一形態を示すブロック図である。
【図２】上記レベル検波回路における二乗演算回路の構成を示す回路図である。
【図３】上記レベル検波回路における電流源回路の構成を示す回路図である。
【図４】レベル検波回路を備えたＡＧＣ回路の構成を示す回路図である。
【符号の説明】
【０１４１】
２      ＬＰＦ
１０    二乗演算回路
３０    電流源回路
３１    バンドギャップ電流源回路
３２    二乗除算回路
６１    電流源
１００  レベル検波回路
【図１】
2007282135.tif 000015
【図２】
2007282135.tif 000016
【図３】
2007282135.tif 000017
【図４】
2007282135.tif 000018